(57)【特許請求の範囲】
【請求項１】
モバイル端末に適用する分割スクリーン表示方法であって、
マルチタスク管理インターフェースをトリガーして表示するための操作信号を受信するステップと、
前記モバイル端末で実行しているアプリケーションを取得するステップと、
第１アプリケーションを前記マルチタスク管理インターフェースの主区画に表示し、複数の第２アプリケーションを前記マルチタスク管理インターフェースの副区画に表示するステップと、を備え、
前記第１アプリケーションと前記複数の第２アプリケーションは前記モバイル端末で実行しており、
前記複数の第２アプリケーションを前記マルチタスク管理インターフェースの前記副区画に表示することは、
実行している、かつ、最新にフォアグラウンドで実行してない複数のアプリケーションに対応する複数のプレビュ−インターフェースを前記副区画に表示するステップと、
前記副区画に表示される複数のプレビュ−インターフェースのうちから選択された前記プレビュ−インターフェースを取得し、前記選択されたプレビュ−インターフェースに対応するアプリケーションを前記複数の第２アプリケーションの１つとし、前記複数の第２アプリケーションの１つを前記マルチタスク管理インターフェースの前記副区画に表示するステップと、を備える分割スクリーン表示方法。
【請求項２】
前記第１アプリケーションを前記マルチタスク管理インターフェースの前記主区画に表示することは、
最新にフォアグラウンドで実行していたアプリケーションを取得して前記第１アプリケーションとし、前記第１アプリケーションを前記マルチタスク管理インターフェースの前記主区画に表示するステップを備える請求項１に記載の分割スクリーン表示方法。
【請求項３】
前記副区画に表示されて選択された第３アプリケーションを取得するステップと、
前記第３アプリケーションを前記主区画に表示するための入替指令を受信するステップと、
前記第３アプリケーションを前記主区画に移動して表示し、前記第１アプリケーションを前記副区画において前記第３アプリケーションがあった位置に移動して表示するステップと、をさらに備える請求項１または２に記載の分割スクリーン表示方法。
【請求項４】
前記モバイル端末で実行しているアプリケーションと分割スクリーン制御要素とを前記マルチタスク管理インターフェースに表示するステップと、
前記分割スクリーン制御要素がトリガーされる場合、前記マルチタスク管理インターフェースのための表示モードを分割スクリーンモードに切り替えるステップと、をさらに備え、
前記分割スクリーンモードにおいて、前記マルチタスク管理インターフェースは前記主区画と前記副区画とを備える請求項１から請求項３のいずれか１項に記載の分割スクリーン表示方法。
【請求項５】
前記分割スクリーンモードにおいて、前記マルチタスク管理インターフェースは移動可能な区分制御線を有し、前記区分制御線は前記マルチタスク管理インターフェースを前記主区画と前記副区画に分割する請求項４に記載の分割スクリーン表示方法。
【請求項６】
前記主区画または前記副区画は多機能仮想ボタンを備え、前記多機能仮想ボタンは、分割スクリーン終了制御要素と、入替制御要素と、切替制御要素の群との少なくとも１つを表示することを誘導し、
分割スクリーン表示方法は、
前記分割スクリーン終了制御要素がトリガーされる場合、前記マルチタスク管理インターフェースが前記分割スクリーンモードを終了するように制御するステップと、
前記入替制御要素がトリガーされる場合、前記主区画に表示されているアプリケーションと前記副区画に表示されているアプリケーションとを入れ替えるように制御するステップと、をさらに備え、
前記切替制御要素の群は、前記主区画に表示されているアプリケーションを切り替えるための第１切替制御要素と、前記副区画に表示されているアプリケーションを切り替えるための第２切替制御要素とを備え、
分割スクリーン表示方法は、
前記第１切替制御要素がトリガーされる場合、前記モバイル端末で実行している、かつ、前記第１アプリケーションでないアプリケーションを前記主区画に表示するステップと、前記第２切替制御要素がトリガーされる場合、前記モバイル端末で実行している、かつ、前記複数の第２アプリケーションでないアプリケーションを前記副区画に表示するステップと、をさらに備える請求項４または請求項５に記載の分割スクリーン表示方法。
【請求項７】
モバイル端末に適用する分割スクリーン表示装置であって、
マルチタスク管理インターフェースをトリガーして表示するための操作信号を受信するように構成される第１受信モジュールと、
前記モバイル端末で実行しているアプリケーションを取得するように構成される第１取得モジュールと、
第１アプリケーションを前記マルチタスク管理インターフェースの主区画に表示し、複数の第２アプリケーションを前記マルチタスク管理インターフェースの副区画に表示するように構成される第１表示モジュールと、を備え、
前記第１アプリケーションと前記複数の第２アプリケーションは前記モバイル端末で実行しており、
前記第１表示モジュールは、
実行している、かつ、最新にフォアグラウンドで実行してない複数のアプリケーションに対応する複数のプレビュ−インターフェースを前記副区画に表示するように構成される第１表示サブモジュールと、
前記副区画に表示される複数のプレビュ−インターフェースのうちから選択された前記プレビュ−インターフェースを取得し、前記選択されたプレビュ−インターフェースに対応するアプリケーションを前記複数の第２アプリケーションの１つとし、前記複数の第２アプリケーションの１つを前記マルチタスク管理インターフェースの前記副区画に表示するように構成される第２表示サブモジュールと、を備える分割スクリーン表示装置。
【請求項８】
前記第１表示モジュールは、
最新にフォアグラウンドで実行していたアプリケーションを取得して前記第１アプリケーションとし、前記第１アプリケーションを前記マルチタスク管理インターフェースの前記主区画に表示するように構成される取得サブモジュールを備える請求項７に記載の分割スクリーン表示装置。
【請求項９】
前記副区画に表示されて選択された第３アプリケーションを取得するように構成される第２取得モジュールと、
前記第３アプリケーションを前記主区画に表示するための入替指令を受信するように構成される第２受信モジュールと、
前記第３アプリケーションを前記主区画に移動して表示し、前記第１アプリケーションを前記副区画において前記第３アプリケーションがあった位置に移動して表示するように構成される表示モジュールと、をさらに備える請求項７または８に記載の分割スクリーン表示装置。
【請求項１０】
前記モバイル端末で実行しているアプリケーションと分割スクリーン制御要素とを前記マルチタスク管理インターフェースに表示するように構成される第２表示モジュールと、
前記分割スクリーン制御要素がトリガーされる場合、前記マルチタスク管理インターフェースのための表示モードを分割スクリーンモードに切り替えるように構成される切替モジュールと、をさらに備え、
前記分割スクリーンモードにおいて、前記マルチタスク管理インターフェースは前記主区画と前記副区画とを備える請求項７から請求項９のいずれか１項に記載の分割スクリーン表示装置。
【請求項１１】
前記分割スクリーンモードにおいて、前記マルチタスク管理インターフェースは移動可能な区分制御線を有し、前記区分制御線は前記マルチタスク管理インターフェースを前記主区画と前記副区画に分割する請求項１０に記載の分割スクリーン表示装置。
【請求項１２】
前記主区画または前記副区画は多機能仮想ボタンを備え、前記多機能仮想ボタンは、分割スクリーン終了制御要素と、入替制御要素と、切替制御要素の群との少なくとも１つを表示することを誘導し、
前記分割スクリーン表示装置は、
前記分割スクリーン終了制御要素がトリガーされる場合、前記マルチタスク管理インターフェースが前記分割スクリーンモードを終了するように制御するように構成される第１制御モジュールと、
前記入替制御要素がトリガーされる場合、前記主区画に表示されているアプリケーションと前記副区画に表示されているアプリケーションとを入れ替えるように制御するように構成される第２制御モジュールと、をさらに備え、
前記切替制御要素の群は、前記主区画に表示されているアプリケーションを切り替えるための第１切替制御要素と、前記副区画に表示されているアプリケーションを切り替えるための第２切替制御要素とを備え、
前記分割スクリーン表示装置は、
前記第１切替制御要素がトリガーされる場合、前記モバイル端末で実行している、かつ、前記第１アプリケーションでないアプリケーションを前記主区画に表示するように構成される第３制御モジュールと、
前記第２切替制御要素がトリガーされる場合、前記モバイル端末で実行している、かつ、前記複数の第２アプリケーションでないアプリケーションを前記副区画に表示するように構成される第４制御モジュールと、をさらに備える請求項１０または請求項１１に記載の分割スクリーン表示装置。
【請求項１３】
モバイル端末に適用する分割スクリーン表示デバイスであって、
プロセッサと、
前記プロセッサにより実施可能な指令を格納するメモリと、を備え、
前記プロセッサは、
マルチタスク管理インターフェースをトリガーして表示するための操作信号を受信し、
前記モバイル端末で実行しているアプリケーションを取得し、
第１アプリケーションを前記マルチタスク管理インターフェースの主区画に表示し、複数の第２アプリケーションを前記マルチタスク管理インターフェースの副区画に表示するように構成されており、前記第１アプリケーションと前記複数の第２アプリケーションは前記モバイル端末で実行しており、
前記複数の第２アプリケーションを前記マルチタスク管理インターフェースの前記副区画に表示することは、
実行している、かつ、最新にフォアグラウンドで実行してない複数のアプリケーションに対応する複数のプレビュ−インターフェースを前記副区画に表示することと、
前記副区画に表示される複数のプレビュ−インターフェースのうちから選択された前記プレビュ−インターフェースを取得し、前記選択されたプレビュ−インターフェースに対応するアプリケーションを前記複数の第２アプリケーションの１つとし、前記複数の第２アプリケーションの１つを前記マルチタスク管理インターフェースの前記副区画に表示することと、を備える分割スクリーン表示デバイス。
【請求項１４】
コンピュータ上で走らせた際に、請求項１から６のいずれか１つに記載の分割スクリーン表示方法を前記コンピュータに実行させる、コンピュータプログラム。
【発明の詳細な説明】
【技術分野】
【０００１】
本出願は、２０１６年５月９日に中華人民共和国国家知識産権局に出願された、中国特許出願２０１６１０３０４８６１．８の中国特許出願に基づいて優先権を主張するものであり、その全体が参照によって本明細書に組み入れられる。
【０００２】
（技術分野）
本開示は電子デバイスに関し、具体的に、分割スクリーン表示方法及び分割スクリーン表示装置に関する。
【背景技術】
【０００３】
インテリジェントオペレーティングシステムを有する電子デバイスは、１つのアプリケーションのみをフォアグラウンドで実行することができ、すなわち、実行中のアプリケーションのうちに、１つのみが電子デバイスのスクリーンに表示される。
【０００４】
２つのアプリケーションを同時に実行する必要がある時、ユーザはフォアグラウンドで実行するアプリケーションの切り替えを繰り返すしかできない。例えば、ユーザはアプリケーションＡをフォアグラウンドで実行させながらアプリケーションＢをバックグラウンドで実行させる必要がある。アプリケーションＢを見たい時、ユーザはバックグラウンドで実行させるようにアプリケーションＡを切り替え、フォアグラウンドで実行させるようにアプリケーションＢを切り替えなければならない。アプリケーションＡを見たい時、ユーザはまたバックグラウンドで実行させるようにアプリケーションＢを切り替え、フォアグラウンドで実行させるようにアプリケーションＡを切り替えなければならない。関連技術に提供された電子デバイスにアプリケーションを表示する手段が簡素過ぎる。
【発明の概要】
【０００５】
本開示は分割スクリーン表示方法及び分割スクリーン表示装置を提供する。技術的解決案は下記通りである。
【０００６】
本開示の実施の形態の第１側面にかかり、電子デバイスに適用する分割スクリーン表示方法が提供される。分割スクリーン表示方法は、マルチタスク管理インターフェースをトリガーして表示するための操作信号を受信するステップと、前記電子デバイスで実行しているアプリケーションを取得するステップと、第１アプリケーションを前記マルチタスク管理インターフェースの主区画に表示し、少なくとも１つの第２アプリケーションを前記マルチタスク管理インターフェースの副区画に表示するステップと、を備え、前記第１アプリケーションと前記少なくとも１つの第２アプリケーションは前記電子デバイスで実行している。マルチタスク管理インターフェースを主区画と副区画とに分割し、主区画と副区画とに異なるアプリケーションを表示することにより、ユーザは少なくとも２つのアプリケーションを同時に使用することができ、関連技術に提供された電子デバイスにアプリケーションを表示する手段が簡素過ぎるという問題を解決することができ、ユーザ体験を改善する効果も達成できる。
【０００７】
選択的に、前記第１アプリケーションを前記マルチタスク管理インターフェースの前記主区画に表示することは、最新にフォアグラウンドで実行していたアプリケーションを取得して前記第１アプリケーションとし、前記第１アプリケーションを前記マルチタスク管理インターフェースの前記主区画に表示するステップを備える。最新にフォアグラウンドで実行していたアプリケーションを第１アプリケーションとし、第１アプリケーションを主区画に表示することにより、第１アプリケーションを取得する操作手順を簡略することができ、分割スクリーン表示の効率を高めることができる。
【０００８】
選択的に、前記少なくとも１つの第２アプリケーションを前記マルチタスク管理インターフェースの前記副区画に表示することは、実行している、かつ、最新にフォアグラウンドで実行してない少なくとも１つのアプリケーションに対応する少なくとも１つのプレビュ−インターフェースを前記副区画に表示するステップと、前記副区画に表示される少なくとも１つのプレビュ−インターフェースのうちから選択された前記プレビュ−インターフェースを取得し、選択されたプレビュ−インターフェースに対応するアプリケーションを少なくとも１つの前記第２アプリケーション１つのとし、前記少なくとも１つの第２アプリケーションの１つを前記マルチタスク管理インターフェースの前記副区画に表示するステップと、を備える。ユーザに選択させるように、実行している、かつ、最新にフォアグラウンドで実行してない少なくとも１つのアプリケーションに対応する各プレビュ−インターフェースを副区画に表示することにより、ユーザに選択されたプレビュ−インターフェースに対応するアプリケーションは副区画を表示することができる。
【０００９】
選択的に、分割スクリーン表示方法は、前記副区画に表示されて選択された第３アプリケーションを取得するステップと、前記第３アプリケーションを前記主区画に表示するための入替指令を受信するステップと、前記第３アプリケーションを前記主区画に移動して表示し、前記第１アプリケーションを前記副区画において前記第３アプリケーションがあった位置に移動して表示するステップと、をさらに備える。そのため、ユーザは副区画から少なくとも１つの第２アプリケーションのうちの１つを選択して主区画に表示させることができる。
【００１０】
選択的に、分割スクリーン表示方法は、前記電子デバイスで実行しているアプリケーションと分割スクリーン制御要素とを前記マルチタスク管理インターフェースに表示するステップと、前記分割スクリーン制御要素がトリガーされる場合、前記マルチタスク管理インターフェースのための表示モードを分割スクリーンモードに切り替える（switch）ステップと、をさらに備え、前記分割スクリーンモードにおいて、前記マルチタスク管理インターフェースは前記主区画と前記副区画とを備える。
【００１１】
選択的に、前記分割スクリーンモードにおいて、前記マルチタスク管理インターフェースは移動可能な区分制御線を有し、前記区分制御線は前記マルチタスク管理インターフェースを前記主区画と前記副区画に分割する。そのため、ユーザは区分制御線を移動することにより主区画と副区画の大きさを調整することができる。
【００１２】
選択的に、前記主区画または前記副区画は多機能仮想ボタンを備え、前記多機能仮想ボタンは、分割スクリーン終了制御要素と、入替制御要素と、切替制御要素の群との少なくとも１つを表示することを誘導する。分割スクリーン表示方法は、前記分割スクリーン終了制御要素がトリガーされる場合、前記マルチタスク管理インターフェースが分割スクリーンモードを終了するように制御するステップと、前記入替制御要素がトリガーされる場合、前記主区画に表示されているアプリケーションと前記副区画に表示されているアプリケーションとを入れ替える（exchange）ように制御するステップと、をさらに備える。前記切替制御要素の群は、前記主区画に表示されているアプリケーションを切り替えるための第１切替制御要素と、前記副区画に表示されているアプリケーションを切り替えるための第２切替制御要素とを備える。分割スクリーン表示方法は、前記第１切替制御要素がトリガーされる場合、前記電子デバイスで実行している、かつ、前記第１アプリケーションでないアプリケーションを前記主区画に表示するステップと、前記第２切替制御要素がトリガーされる場合、前記電子デバイスで実行している、かつ、前記少なくとも１つの第２アプリケーションでないアプリケーションを前記副区画に表示するステップと、をさらに備える。分割スクリーン終了制御要素を提供することにより、ユーザは、分割スクリーン終了制御要素をトリガーすることで、マルチタスク管理インターフェースが分割スクリーンモードを終了するように制御することができる。入替制御要素と、切替制御要素の群とを提供することにより、ユーザは、入替制御要素と切替制御要素の群とを用いて、副区画に表示されているアプリケーションと主区画に表示されているアプリケーションとを切り替えることができる。
【００１３】
本開示の実施の形態の第２側面にかかり、電子デバイスに適用する分割スクリーン表示装置が提供される。分割スクリーン表示装置は、マルチタスク管理インターフェースをトリガーして表示するための操作信号を受信するように構成される第１受信モジュールと、前記電子デバイスで実行しているアプリケーションを取得するように構成される第１取得モジュールと、第１アプリケーションを前記マルチタスク管理インターフェースの主区画に表示し、少なくとも１つの第２アプリケーションを前記マルチタスク管理インターフェースの副区画に表示するように構成される第１表示モジュールと、を備え、前記第１アプリケーションと前記少なくとも１つの第２アプリケーションは前記電子デバイスで実行している。
【００１４】
選択的に、前記第１表示モジュールは、最新にフォアグラウンドで実行していたアプリケーションを取得して前記第１アプリケーションとし、前記第１アプリケーションを前記マルチタスク管理インターフェースの前記主区画に表示するように構成される取得サブモジュールを備える。
【００１５】
選択的に、前記第１表示モジュールは、実行している、かつ、最新にフォアグラウンドで実行してない少なくとも１つのアプリケーションに対応する少なくとも１つのプレビュ−インターフェースを前記副区画に表示するように構成される第１表示サブモジュールと、前記副区画に表示される少なくとも１つのプレビュ−インターフェースのうちから選択された前記プレビュ−インターフェースを取得し、選択されたプレビュ−インターフェースに対応するアプリケーションを前記少なくとも１つの第２アプリケーションの１つとし、前記少なくとも１つの第２アプリケーションの１つを前記マルチタスク管理インターフェースの前記副区画に表示するように構成される第２表示サブモジュールと、を備える。
【００１６】
選択的に、分割スクリーン表示装置は、前記副区画に表示されて選択された第３アプリケーションを取得するように構成される第２取得モジュールと、前記第３アプリケーションを前記主区画に表示するための入替指令を受信するように構成される第２受信モジュールと、前記第３アプリケーションを前記主区画に移動して表示し、前記第１アプリケーションを前記副区画において前記第３アプリケーションがあった位置に移動して表示するように構成される表示モジュールと、をさらに備える。
【００１７】
選択的に、分割スクリーン表示装置は、前記電子デバイスで実行しているアプリケーションと分割スクリーン制御要素とを前記マルチタスク管理インターフェースに表示するように構成される第２表示モジュールと、前記分割スクリーン制御要素がトリガーされる場合、前記マルチタスク管理インターフェースのための表示モードを分割スクリーンモードに切り替えるように構成される切替モジュールと、をさらに備え、前記分割スクリーンモードにおいて、前記マルチタスク管理インターフェースは前記主区画と前記副区画とを備える。
【００１８】
選択的に、前記分割スクリーンモードにおいて、前記マルチタスク管理インターフェースは移動可能な区分制御線を有し、前記区分制御線は前記マルチタスク管理インターフェースを前記主区画と前記副区画に分割する。
【００１９】
選択的に、前記主区画または前記副区画は多機能仮想ボタンを備え、前記多機能仮想ボタンは、分割スクリーン終了制御要素と、入替制御要素と、切替制御要素の群との少なくとも１つを表示することを誘導する。前記分割スクリーン表示装置は、前記分割スクリーン終了制御要素がトリガーされる場合、前記マルチタスク管理インターフェースが分割スクリーンモードを終了するように制御するように構成される第１制御モジュールと、前記入替制御要素がトリガーされる場合、前記主区画に表示されているアプリケーションと前記副区画に表示されているアプリケーションとを入れ替えるように制御するように構成される第２制御モジュールと、をさらに備える。前記切替制御要素の群は、前記主区画に表示されているアプリケーションを切り替えるための第１切替制御要素と、前記副区画に表示されているアプリケーションを切り替えるための第２切替制御要素とを備える。前記分割スクリーン表示装置は、前記第１切替制御要素がトリガーされる場合、前記電子デバイスで実行している、かつ、前記第１アプリケーションでないアプリケーションを前記主区画に表示するように構成される第３制御モジュールと、前記第２切替制御要素がトリガーされる場合、前記電子デバイスで実行している、かつ、前記少なくとも１つの第２アプリケーションでないアプリケーションを前記副区画に表示するように構成される第４制御モジュールと、をさらに備える。
【００２０】
本開示の実施の形態の第３側面にかかり、電子デバイスに適用する分割スクリーン表示デバイスが提供される。分割スクリーン表示デバイスは、プロセッサと、前記プロセッサにより実施可能な指令を格納するメモリと、を備える。前記プロセッサは、マルチタスク管理インターフェースをトリガーして表示するための操作信号を受信し、前記電子デバイスで実行しているアプリケーションを取得し、第１アプリケーションを前記マルチタスク管理インターフェースの主区画に表示し、少なくとも１つの第２アプリケーションを前記マルチタスク管理インターフェースの副区画に表示するように構成されており、前記第１アプリケーションと前記少なくとも１つの第２アプリケーションは前記電子デバイスで実行している。
【００２１】
理解されるべきなのは、以上の概略的な記載と以下の詳細な記載ともは、例示的で説明のみに用いられるものであり、本開示を制限するものではない。
【図面の簡単な説明】
【００２２】
添付の図面は、本明細書に取り込まれて本明細書の一部を構成し、記載とともに本開示に一致する態様を示し、本開示の原理を説明するのに役立つものである。
【図１】本開示の例示的な実施の形態にかかる分割スクリーン表示方法を示すフローチャート
【図２Ａ】本開示の他の例示的な実施の形態にかかる分割スクリーン表示方法を示すフローチャート
【図２Ｂ】本開示の例示的な実施の形態にかかるトリガーされたマルチタスク管理インターフェースを示す概念図
【図２Ｃ】本開示の例示的な実施の形態にかかるマルチタスク管理インターフェースを示す概念図
【図２Ｄ】本開示の例示的な実施の形態にかかる主区画と副区画とを備えるマルチタスク管理インターフェースを示す概念図
【図２Ｅ】本開示の例示的な実施の形態にかかる分割スクリーンモードにおけるマルチタスク管理インターフェースを示す概念図
【図２Ｆ】本開示の例示的な実施の形態にかかり、副区画に表示されて選択されたプレビュ−インターフェースに対応のアプリケーションを副区画に表示する応用シーンを示す概念図
【図２Ｇ】本開示の例示的な実施の形態にかかり、第１アプリケーションの代わりに、副区画から選択された第３アプリケーションを主区画に表示する方法を示すフローチャート
【図２Ｈ】本開示の例示的な実施の形態にかかり、第１アプリケーションの代わりに、副区画から選択された第３アプリケーションを主区画に表示する方法を示す概念図
【図２Ｉ】本開示の例示的な実施の形態にかかり、多機能仮想ボタンを副区画に表示する応用シーンを示す概念図
【図３】本開示の例示的な実施の形態にかかる分割スクリーン表示装置を示すブロック図
【図４】本開示の他の例示的な実施の形態にかかる分割スクリーン表示装置を示すブロック図
【図５】本開示の例示的な実施の形態にかかり、分割スクリーン表示デバイスを示すブロック図
【発明を実施するための形態】
【００２３】
例示的な実施の形態について、添付図面に示される例を参照して詳細に説明する。以下の記述における添付図面の参照において、特に断りのない限り、異なる図面中の同じ参照番号は、同じまたは類似の構成要素を示している。例示的な実施の形態についての記載された実施の態様は、本開示の全ての実施の態様を示すものではない。クレームに記載された本開示に関係する態様の方法および装置を単に例示するものに過ぎない。
【００２４】
図１は本開示の例示的な実施の形態にかかり、分割スクリーン表示方法を示すフローチャートである。分割スクリーン表示方法は、タッチスクリーンを備える電子デバイスに適用され、以下のステップを備えてもよい。
【００２５】
動作１０１において、マルチタスク管理インターフェースをトリガーして表示するための操作信号を受信する。
【００２６】
動作１０２において、電子デバイスで実行している各アプリケーションを取得する。
【００２７】
動作１０３において、第１アプリケーションをマルチタスク管理インターフェースの主区画に表示し、少なくとも１つの第２アプリケーションをマルチタスク管理インターフェースの副区画に表示し、第１アプリケーションと少なくとも１つの第２アプリケーションとは電子デバイスにおいて実行しているアプリケーションである。
【００２８】
結論を述べると、本開示の実施の形態に提供される分割スクリーン表示方法に基づいて、マルチタスク管理インターフェースをトリガーして表示するための操作信号を受信することにより、第１アプリケーションをマルチタスク管理インターフェースの主区画に表示し、少なくとも１つの第２アプリケーションをマルチタスク管理インターフェースの副区画に表示し、第１アプリケーションと少なくとも１つの第２アプリケーションとは電子デバイスで実行しているアプリケーションである。すなわち、マルチタスク管理インターフェースを主区画と副区画とに分割し、主区画と副区画とに異なるアプリケーションを表示することにより、ユーザは少なくとも２つのアプリケーションを同時に使用することができ、関連技術に提供された電子デバイスにアプリケーションを表示する手段が簡素過ぎるという問題を解決することができ、ユーザ体験を改善する効果も達成できる。
【００２９】
図２Ａは本開示の他の例示な実施の形態にかかり、分割スクリーン表示方法を示すフローチャートである。分割スクリーン表示方法は、タッチスクリーンを備える電子デバイスに適用され、以下のステップを備えてもよい。
【００３０】
動作２０１において、マルチタスク管理インターフェースをトリガーして表示するための操作信号を受信する。
【００３１】
ここでいう操作信号とは、電子デバイスのある物理的なボタンがトリガーされる時に生成されるものであってもよく、電子デバイスのタッチスクリーンにおいてユーザにより入力されたジェスチャー（gesture）であってもよく、電子デバイスが特定のトラック（track）に沿って振られる（シェイクされる）時に生成されるものであってもよい。操作信号は、本開示の実施の形態に限られず、実際の状況により決められる。
【００３２】
この実施の形態においては、電子デバイスのある物理的なボタンは操作信号生成するようにトリガーされることを例示とする適用例を採用する。図２Ｂに示されているように、電子デバイス２１はマルチタスクボタン２２を備え、マルチタスクボタン２２はマルチタスク管理インターフェースをトリガーして表示するように構成される。ユーザがマルチタスクボタン２２をクリックすると、電子デバイスは、マルチタスク管理インターフェースをトリガーして表示するための操作信号を受信してもよい。
【００３３】
一般的には、マルチタスク管理インターフェースは電子デバイスにおいて実行しているアプリケーションを表示するように構成される、マルチタスク管理インターフェースに表示された各アプリケーションは、アプリケーションに対応するプレビュ−インターフェースの形式で表示されてもよい。ここでいうプレビュ−インターフェースとは、アプリケーションがフォアグラウンドで実行停止前に、電子デバイスのスクリーンに最後に表示されたインターフェースであってもよい。選択的に、アプリケーションのプレビュ−インターフェースは、アプリケーションに対応するメインインターフェースであってもよい。
【００３４】
動作２０２において、電子デバイスで実行している各アプリケーションを取得し、電子デバイスで実行しているアプリケーションと分割スクリーン制御要素とをマルチタスク管理インターフェースに表示する。
【００３５】
電子デバイスで実行している各アプリケーションをマルチタスク管理インターフェースに表示する時、これらのアプリケーションに対応するプレビュ−インターフェースの形式で表示してもよい。
【００３６】
具体的に述べると、各アプリケーションに対応するプレビュ−インターフェースを表示する時、様々な配列モードを適用してもよい。例えば、各アプリケーションに対応するプレビュ−インターフェースは、第１所定順に基づき単一の列で横向きに配列されてもよい。また、例えば、各アプリケーションに対応するプレビュ−インターフェースは、第１所定順に基づき２つの列で横向きに配列されてもよい。ここでいう第１所定順とは、アプリケーションの最近の起動順であってもよく、アプリケーションの起動頻度の順であってもよく、実際の状況により決められ、本開示の実施の形態に制限されない。
【００３７】
分割スクリーン制御要素は、マルチタスク管理インターフェースにおいてあらゆる場所に表示されてもよい。この実施の形態は、分割スクリーン制御要素をマルチタスク管理インターフェースの右上隅に表示することを例示とする適用例を採用する。図２Ｃ（１）に示されているように、分割スクリーン制御要素はマルチタスク管理インターフェースの右上隅に表示されている。
【００３８】
一般的には、有限個数のプレビュ−インターフェースのみが電子デバイスのスクリーンに表示される。更なる電子デバイスで実行している各アプリケーションのプレビュ−インターフェースを見る必要がある場合、電子デバイスで実行している各アプリケーションのプレビュ−インターフェースをトリガーするように、ユーザは所定ジェスチャーを入力してもよい。例えば、電子デバイスで実行しているアプリケーションは、アプリケーションＡとアプリケーションＢとアプリケーションＣとを備え、図２Ｃ（１）に示されているように、これらのアプリケーションに対応するプレビュ−インターフェースは単一の列で横向きに配列されている。スクリーンのサイズ制限のため、アプリケーションＣはスクリーンに表示されていない。図２Ｃ（２）に示されているように、ユーザは、右スライドとのジェスチャーを入力して、アプリケーションＣに対応するプレビュ−インターフェースをトリガーして表示させるようにしてもよい。
【００３９】
動作２０３において、分割スクリーン制御要素がトリガーされる場合、マルチタスク管理インターフェースのための表示モードを分割スクリーンモードに切り替えてもよく、分割スクリーンモードにおいて、マルチタスク管理インターフェースは主区画と副区画とを備える。
【００４０】
一般的には、電子デバイスで実行しているアプリケーション及び分割スクリーン制御要素がマルチタスク管理インターフェースに表示され、分割スクリーン制御要素がトリガーされると、マルチタスク管理インターフェースのための表示モードは分割スクリーンモードに切り替えることができ、マルチタスク管理インターフェースは主区画と副区画に分割される。
【００４１】
注意されるべきなのは、分割スクリーンモードにおけるマルチタスク管理インターフェースは唯一の主区画しか備えないが、１つまたは複数の副区画を備えてもよい。この実施の形態は、マルチタスク管理インターフェースが１つの主区画と１つの副区画のみを備えることを例示とする適用例を採用する。マルチタスク管理インターフェースが１つの主区画と複数の副区画のみを備える適用例の実施の形態は、この実施の形態によって提供される手法にしたがって理解されるべきである。
【００４２】
図２Ｄ（１）に示されているように、マルチタスク管理インターフェースが１つの主区画２４と１つの副区画２５とを備えることを示す概念図が提供される。図２Ｄ（２）に示されているように、マルチタスク管理インターフェースが１つの主区画２４と少なくとも２つの副区画２５とを備えることを示す概念図が提供される。
【００４３】
動作２０４において、第１アプリケーションをマルチタスク管理インターフェースの主区画に表示してもよく、第１アプリケーションは電子デバイスで実行しているアプリケーションの１つである。
【００４４】
主区画は、マルチタスク管理インターフェースにおいていかなる区域に表示されてもよい。一般的には、主区画をマルチタスク管理インターフェースの最上部に近い位置に配置してもよい。例えば、図２Ｄ（１）をもう１回参照すると、マルチタスク管理インターフェースの主区画２３はスクリーンの最上部に示されている。
【００４５】
具体的には、マルチタスク管理インターフェースの主区画に第１アプリケーションを表示することは、次のように実現されてもよい：最新にフォアグラウンドで実行していたアプリケーションを取得して第１アプリケーションとし、第１アプリケーションをマルチタスク管理インターフェースの主区画に表示する。
【００４６】
例えば、アプリケーションＡが電子デバイスのフォアグラウンドで実行している場合、マルチタスク管理インターフェースをトリガーして表示するように、ユーザはマルチタスクボタンをトリガーしてもよく、そしてマルチタスク管理インターフェースに提供された分割スクリーン制御要素をクリックすると、マルチタスク管理インターフェースのための表示モードは分割スクリーンモードに切り替えられてもよい。図２Ｅに示されているように、アプリケーションＡは第１アプリケーションとされてマルチタスク管理インターフェースの主区画２４に表示される。アプリケーションＡに表示されたページ（画面）Ａは、アプリケーションＡがフォアグラウンドで実行停止前に、電子デバイスのスクリーンに表示されたアプリケーションＡの最後のインターフェースであってもよく、アプリケーションＡに対応するメインインターフェースであってもよい。
【００４７】
例えば、電子デバイスのフォアグラウンドで実行しているアプリケーションが存在していない場合、マルチタスク管理インターフェースをトリガーして表示するように、ユーザはマルチタスクボタンをトリガーしてもよく、そしてマルチタスク管理インターフェースに提供された分割スクリーン制御要素をクリックすると、マルチタスク管理インターフェースのための表示モードは分割スクリーンモードに切り替えられる。図２Ｅに示されているように、電子デバイスで最新に実行していたアプリケーションＡは第１アプリケーションとされてマルチタスク管理インターフェースの主区画２４に表示される。アプリケーションＡに表示されたページＡは、アプリケーションＡがフォアグラウンドで実行停止前に、電子デバイスのスクリーンに表示されたアプリケーションＡの最後のインターフェースであってもよく、アプリケーションＡに対応するメインインターフェースであってもよい。
【００４８】
動作２０５において、実行している、かつ、最新にフォアグラウンドで実行してない少なくとも１つのアプリケーションに対応する少なくとも１つのプレビュ−インターフェースを副区画に表示してもよい。
【００４９】
各アプリケーションに対応するプレビュ−インターフェースを表示する時、様々な配列モードを適用してもよい。例えば、各アプリケーションに対応するプレビュ−インターフェースは、第２所定順に基づき単一の列で横向きに配列されてもよい。また、例えば、各アプリケーションに対応するプレビュ−インターフェースは、第２所定順に基づき２つの列で横向きに配列されてもよい。ここでいう第２所定順とは、アプリケーションの最近の起動順であってもよく、アプリケーションの起動頻度の順であってもよく、実際の状況により決められ、本開示の実施の形態に制限されない。
【００５０】
例えば、図２Ｅに示されているように、最新にフォアグラウンドで実行されていたアプリケーションはアプリケーションＡであってもよいが、アプリケーションＡの他、アプリケーションＢもアプリケーションＣも電子デバイスで実行されている。アプリケーションＢに対応するプレビュ−インターフェース２６及びアプリケーションＣに対応するプレビュ−インターフェース２７は副区画２５に表示されてもよい。
【００５１】
一般的には、有限個数のプレビュ−インターフェースのみが副区画に表示されてもよい。ユーザは更なる電子デバイスで実行している各アプリケーションのプレビュ−インターフェースを副区画で見たい場合、ユーザは、所定ジェスチャーを入力し、電子デバイスで実行している各アプリケーションのプレビュ−インターフェースをトリガーして表示させてもよい。
【００５２】
動作２０６において、副区画に表示される少なくとも１つのプレビュ−インターフェースのうちから選択されたプレビュ−インターフェースを取得してもよく、選択されたプレビュ−インターフェースに対応するアプリケーションを少なくとも１つの第２アプリケーションの１つとし、少なくとも１つの第２アプリケーションの１つをマルチタスク管理インターフェースの副区画に表示してもよい。
【００５３】
例えば、図２Ｆ（１）に示されているように、アプリケーションＢに対応するプレビュ−インターフェース２６であるページＢ、及びアプリケーションＣに対応するプレビュ−インターフェース２７であるページＣは、副区画２５に表示されてもよい。ユーザは、アプリケーションＢに対応するプレビュ−インターフェース２６であるページＢをクリックしてもよい。図２Ｆ（２）に示されているように、プレビュ−インターフェース２６に対応するアプリケーションＢは、第２アプリケーションとされ、マルチタスク管理インターフェースの副区画２５に表示されて、プレビュ−インターフェース２６であるページＢはアプリケーションＢに表示されてもよい。
【００５４】
注意されるべきなのは、主区画に表示された第１アプリケーションはフォアグラウンドで実行しており、かつ、ユーザに操作されることができ、副区画に表示された第２アプリケーションもフォアグラウンドで実行しており、かつ、ユーザに操作されることができる。言い換えると、主区画に表示された第１アプリケーションと副区画に表示された第２アプリケーションともフォアグラウンドで実行しており、ユーザは主区画または副区画に表示されたアプリケーションのいずれかの１つを操作することができる。例えば、ユーザは主区画に表示されたゲームアプリケーションを用いてゲームを遊びながら、副区画に表示されたメッセージアプリケーションを用いて他の人とチャットすることができる。
【００５５】
結論を述べると、本開示の実施の形態に提供される分割スクリーン表示方法に基づいて、マルチタスク管理インターフェースをトリガーして表示するための操作信号を受信し、第１アプリケーションをマルチタスク管理インターフェースの主区画に表示し、少なくとも１つの第２アプリケーションをマルチタスク管理インターフェースの副区画に表示し、第１アプリケーションと少なくとも１つの第２アプリケーションは電子デバイスで実行していることにより、すなわち、異なる複数のアプリケーションを表示するようにマルチタスク管理インターフェースを主区画と副区画に分割することにより、ユーザは少なくとも２つのアプリケーションを同時に使用することができ、関連技術に提供された電子デバイスにアプリケーションを表示する手段が簡素過ぎるという問題を解決することができ、ユーザ体験を改善する効果も達成できる。
【００５６】
また、最新にフォアグラウンドで実行していたアプリケーションをデフォルトで第１アプリケーションとし、第１アプリケーションを主区画に表示することにより、第１アプリケーションを取得する操作手順を簡略することができ、分割スクリーン表示の効率を高めることができる。
【００５７】
また、ユーザに選択させるように、実行している、かつ、最新にフォアグラウンドで実行してない少なくとも１つのアプリケーションに対応する各プレビュ−インターフェースを副区画に表示してもよく、ユーザに選択されたプレビュ−インターフェースに対応するアプリケーションは副区画を表示してもよい。
【００５８】
また、分割スクリーンモードにおいて、マルチタスク管理インターフェースは移動可能な区分制御線を有し、区分制御線はマルチタスク管理インターフェースを主区画と副区画に分割する。そのため、ユーザは区分制御線を移動することにより主区画と副区画の大きさを調整することができる。
【００５９】
選択的に、第１アプリケーションが主区画に表示され、第１アプリケーションでない、かつ、フォアグラウンドで実行している少なくとも１つのアプリケーションが主区画に表示される時、ユーザは第１アプリケーションを取り替える第３アプリケーションを副区画から選択して主区画に表示させてもよい。それは図２Ｇに示された複数の動作により実現してもよい。
【００６０】
動作２０７ａにおいて、副区画に表示されて選択された第３アプリケーションを取得してもよく、第３アプリケーションを主区画に表示するための入替指令を受信してもよい。
【００６１】
ユーザは様々な手段により副区画に表示された少なくとも１つのアプリケーションを選択してもよい。例えば、少なくとも１つのアプリケーションのうちの１つに対応するプレビュ−インターフェースを長く押すことにより、または、少なくとも１つのアプリケーションのうちの１つに対応するプレビュ−インターフェースにおいて所定のジェスチャーを入力することにより、少なくとも１つのアプリケーションのうちのこのアプリケーションを第３アプリケーションとして選択してもよい。一般的には、ここでいう入替指令とはユーザが入力する所定のジェスチャーである。
【００６２】
動作２０７ｂにおいて、第３アプリケーションを主区画に移動して表示してもよく、第１アプリケーションを副区画において第３アプリケーションがあった位置に移動して表示してもよい。
【００６３】
例えば、図２Ｈ（１）に示されているように、第１アプリケーションであるアプリケーションＡは主区画２４に表示され、電子デバイスで実行しているアプリケーションＢに対応するページＢであるプレビュ−インターフェース２６、及び電子デバイスで実行しているアプリケーションＣに対応するページＣであるプレビュ−インターフェース２７は、副主区画に表示されてもよい。ユーザは、ページＣであるプレビュ−インターフェース２７を長く押すことにより、アプリケーションＣを第３アプリケーションとして選択してもよく、アプリケーションＣを主区画に表示するための入替指令として、続いて上スライドとのジェスチャーを入力してもよい。図２Ｈ（２）に示されているように、アプリケーションＣは、第３アプリケーションとして決められてもよく、主区画に移動されて表示されてもよい。第１アプリケーションであるアプリケーションＡは、副区画２５において第３アプリケーションがあった位置に移動されて表示されてもよい。
【００６４】
選択的に、分割スクリーンモードにおいて、マルチタスク管理インターフェースは移動可能な区分制御線を有し、区分制御線はマルチタスク管理インターフェースを主区画と副区画に分割する。図２Ｄをもう１回参照すると、マルチタスク管理インターフェースは移動可能な区分制御線２８を有する。そのため、ユーザは区分制御線を移動することにより主区画と副区画の大きさを調整することができる。
【００６５】
選択的に、主区画または副区画は多機能仮想ボタンを備え、多機能仮想ボタンは、分割スクリーン終了制御要素と、入替制御要素と、切替制御要素の群との少なくとも１つを表示することを誘導する。
【００６６】
例えば、図２Ｉに示されているように、副区画２５は多機能仮想ボタン２９を備えるため、この多機能仮想ボタンがトリガーされると、分割スクリーン終了制御要素と、入替制御要素と、切替制御要素の群との少なくとも１つは表示されてもよい。ここでいう切替制御要素とは、第１切替制御要素と第２切替制御要素とを備えてもよい。
【００６７】
表示された分割スクリーン終了制御要素がトリガーされる場合、マルチタスク管理インターフェースが分割スクリーンモードを終了するように制御されてもよい。マルチタスク管理インターフェースが分割スクリーンモードを終了した後、電子デバイスで実行しているアプリケーションと分割スクリーン制御要素とを備えるマルチタスク管理インターフェースは正常に表示されてもよく、主区画に表示された第１アプリケーションはフォアグラウンドで実行してもよい（すなわち、表示されてもよい）。本開示の実施の形態はそれについて制限されず、実際の状況により決められる。
【００６８】
表示された入替制御要素がトリガーされる場合、主区画と副区画はそれらに表示されているアプリケーションを入れ替えるように制御してもよい。例えば、アプリケーションＡは主区画に表示されてもよく、アプリケーションＢは副区画に表示されてもよい。入替制御要素がトリガーされる場合、アプリケーションＡは副区画に表示されてもよく、アプリケーションＢは主区画に表示されてもよい。
【００６９】
切替制御要素の群は、主区画に表示されているアプリケーションを切り替えるための第１切替制御要素と、副区画に表示されているアプリケーションを切り替えるための第２切替制御要素とを備え、第１切替制御要素がトリガーされる場合、電子デバイスで実行している、かつ、第１アプリケーションでないアプリケーションが主区画に表示され、第２切替制御要素がトリガーされる場合、電子デバイスで実行している、かつ、少なくとも１つの第２アプリケーションでないアプリケーションが副区画に表示される。
【００７０】
主区画または副区画に表示されたアプリケーションは所定順に基づき他のアプリケーションに切り替えられてもよい。所定順は、アプリケーションの最近の起動順であってもよく、アプリケーションの起動頻度の順であってもよく、実際の状況により決められ、本開示の実施の形態に制限されない。
【００７１】
注意されるべきなのは、この実施の形態は多機能仮想ボタンを副区画に提供することを例示とする適用例を採用する。多機能仮想ボタンを主区画に提供する適用例の実行は、多機能仮想ボタンを副区画に提供する適用例の実行と類似しているため、ここでは説明しない。
【００７２】
本開示の実施の形態は、以下通りに、分割スクリーン表示方法を実行する分割スクリーン表示装置をさらに提供する。この分割スクリーン表示装置の実施の形態において開示されていない詳細については、分割スクリーン表示方法の実施の形態を参照してもよい。
【００７３】
図３は本開示の例示的な実施の形態にかかる分割スクリーン表示装置を示すブロック図である。分割スクリーン表示装置は、タッチスクリーンを備える電子デバイスに適用し、第１受信モジュール３１０と、第１取得モジュール３２０と、第１表示モジュール３３０とを備える。
【００７４】
第１受信モジュール３１０は、マルチタスク管理インターフェースをトリガーして表示するための操作信号を受信するように構成される。
【００７５】
第１取得モジュール３２０は、電子デバイスで実行しているアプリケーションを取得するように構成される。
【００７６】
第１表示モジュール３３０は、第１アプリケーションをマルチタスク管理インターフェースの主区画に表示し、少なくとも１つの第２アプリケーションをマルチタスク管理インターフェースの副区画に表示するように構成され、第１アプリケーションと少なくとも１つの第２アプリケーションは電子デバイスで実行している。
【００７７】
結論を述べると、本開示の実施の形態に提供された分割スクリーン表示装置にかかり、マルチタスク管理インターフェースをトリガーして表示するための操作信号を受信し、第１アプリケーションをマルチタスク管理インターフェースの主区画に表示し、少なくとも１つの第２アプリケーションをマルチタスク管理インターフェースの副区画に表示し、第１アプリケーションと少なくとも１つの第２アプリケーションは電子デバイスで実行していることにより、すなわち、マルチタスク管理インターフェースを主区画と副区画とに分割し、主区画と副区画とに異なるアプリケーションを表示することにより、ユーザは少なくとも２つのアプリケーションを同時に使用することができ、関連技術に提供された電子デバイスにアプリケーションを表示する手段が簡素過ぎるという問題を解決することができ、ユーザ体験を改善する効果も達成できる。
【００７８】
図４は本開示の他の例示的な実施の形態にかかる分割スクリーン表示装置を示すブロック図である。分割スクリーン表示装置は、タッチスクリーンを備える電子デバイスに適用し、第１受信モジュール４０１と、第１取得モジュール４０２と、第１表示モジュール４０３とを備える。
【００７９】
第１受信モジュール４０１は、マルチタスク管理インターフェースをトリガーして表示するための操作信号を受信するように構成される。
【００８０】
ここでいう操作信号とは、電子デバイスのある物理的なボタンがトリガーされる時に生成されるものであってもよく、電子デバイスのタッチスクリーンにおいてユーザにより入力されたジェスチャーであってもよく、電子デバイスが特定のトラックに沿って振られる（シェイクされる）時に生成されるものであってもよい。本開示の実施の形態は操作信号について制限せず、実際の状況により決められる。
【００８１】
一般的には、マルチタスク管理インターフェースは電子デバイスにおいて実行しているアプリケーションを表示するように構成され、マルチタスク管理インターフェースに表示された各アプリケーションは、アプリケーションに対応するプレビュ−インターフェースの形式で表示されてもよい。ここでいうプレビュ−インターフェースとは、アプリケーションがフォアグラウンドで実行停止前に、電子デバイスのスクリーンに最後に表示されたインターフェースであってもよい。選択的に、アプリケーションのプレビュ−インターフェースは、アプリケーションに対応するメインインターフェースであってもよい。
【００８２】
第１取得モジュール４０２は、電子デバイスで実行しているアプリケーションを取得するように構成される。
【００８３】
第１表示モジュール４０３は、第１アプリケーションをマルチタスク管理インターフェースの主区画に表示し、少なくとも１つの第２アプリケーションをマルチタスク管理インターフェースの副区画に表示するように構成され、第１アプリケーションと少なくとも１つの第２アプリケーションは電子デバイスで実行している。
【００８４】
電子デバイスで実行している各アプリケーションをマルチタスク管理インターフェースに表示する時、これらのアプリケーションに対応するプレビュ−インターフェースの形式で表示してもよい。
【００８５】
具体的に述べると、各アプリケーションに対応するプレビュ−インターフェースを表示する時、様々な配列モードを適用してもよい。例えば、各アプリケーションに対応するプレビュ−インターフェースは、第１所定順に基づき単一の列で横向きに配列されてもよい。また、例えば、各アプリケーションに対応するプレビュ−インターフェースは、第１所定順に基づき２つの列で横向きに配列されてもよい。ここでいう第１所定順とは、アプリケーションの最近の起動順であってもよく、アプリケーションの起動頻度の順であってもよく、実際の状況により決められ、本開示の実施の形態に制限されない。
【００８６】
注意されるべきなのは、主区画に表示された第１アプリケーションはフォアグラウンドで実行しており、かつ、ユーザに操作されることができ、副区画に表示された第２アプリケーションもフォアグラウンドで実行しており、かつ、ユーザに操作されることができる。言い換えると、主区画に表示された第１アプリケーションと副区画に表示された第２アプリケーションともフォアグラウンドで実行しており、ユーザは主区画または副区画に表示されたアプリケーションのいずれかの１つを操作することができる。例えば、ユーザは主区画に表示されたゲームアプリケーションを用いてゲームを遊びながら、副区画に表示されたメッセージアプリケーションを用いて他の人とチャットすることができる。
【００８７】
選択的に、第１表示モジュール４０３は、取得サブモジュール４０３ａと、第１表示サブモジュール４０３ｂと、第２表示サブモジュール４０３ｃとを備える。
【００８８】
取得サブモジュール４０３ａは、最新にフォアグラウンドで実行していたアプリケーションを取得して第１アプリケーションとし、第１アプリケーションをマルチタスク管理インターフェースの主区画に表示するように構成される。
【００８９】
主区画は、マルチタスク管理インターフェースにおいてあらゆる区域に表示されてもよい。一般的には、主区画をマルチタスク管理インターフェースの最上部に近い位置に配置してもよい。
【００９０】
第１表示サブモジュール４０３ｂは、実行している、かつ、最新にフォアグラウンドで実行してない少なくとも１つのアプリケーションに対応する少なくとも１つのプレビュ−インターフェースを副区画に表示するように構成される。
【００９１】
各アプリケーションに対応するプレビュ−インターフェースを表示する時、様々な配列モードを適用してもよい。例えば、各アプリケーションに対応するプレビュ−インターフェースは、第２所定順に基づき単一の列で横向きに配列されてもよい。また、例えば、各アプリケーションに対応するプレビュ−インターフェースは、第２所定順に基づき２つの列で横向きに配列されてもよい。ここでいう第２所定順とは、アプリケーションの最近の起動順であってもよく、アプリケーションの起動頻度の順であってもよく、実際の状況により決められ、本開示の実施の形態に制限されない。
【００９２】
一般的には、有限個数のプレビュ−インターフェースのみが副区画に表示されてもよい。ユーザは更なる電子デバイスで実行している各アプリケーションのプレビュ−インターフェースを副区画で見たい場合、ユーザは、所定ジェスチャーを入力し、電子デバイスで実行している各アプリケーションのプレビュ−インターフェースをトリガーして表示させてもよい。
【００９３】
第２表示サブモジュール４０３ｃは、副区画に表示される少なくとも１つのプレビュ−インターフェースのうちから選択されたプレビュ−インターフェースを取得し、選択されたプレビュ−インターフェースに対応するアプリケーションを少なくとも１つの第２アプリケーションの１つとし、少なくとも１つの第２アプリケーションの１つをマルチタスク管理インターフェースの副区画に表示するように構成される。
【００９４】
選択的に、分割スクリーン表示装置は第２取得モジュールと、第２受信モジュールと、表示モジュールとを備える。
【００９５】
第２取得モジュールは、副区画に表示されて選択された第３アプリケーションを取得するように構成される。
【００９６】
第２受信モジュールは、第３アプリケーションを主区画に表示するための入替指令を受信するように構成される。
【００９７】
ユーザは様々な手段により副区画に表示された少なくとも１つのアプリケーションを選択してもよい。例えば、少なくとも１つのアプリケーションのうちの１つに対応するプレビュ−インターフェースを長く押すことにより、または、少なくとも１つのアプリケーションのうちの１つに対応するプレビュ−インターフェースにおいて所定なジェスチャーを入力することにより、少なくとも１つのアプリケーションのうちのこのアプリケーションを第３アプリケーションとして選択してもよい。一般的には、ここでいう入替指令とはユーザが入力する所定なジェスチャーである。
【００９８】
表示モジュールは、第３アプリケーションを主区画に移動して表示し、第１アプリケーションを副区画において第３アプリケーションがあった位置に移動して表示するように構成される。
【００９９】
選択的に、分割スクリーン表示装置は、第２表示モジュール４０４と、切替モジュール４０５とをさらに備える。
【０１００】
第２表示モジュール４０４は、電子デバイスで実行しているアプリケーションと分割スクリーン制御要素とをマルチタスク管理インターフェースに表示するように構成される。
【０１０１】
分割スクリーン制御要素は、マルチタスク管理インターフェースにおいてあらゆる場所に表示されてもよい。この実施の形態は、分割スクリーン制御要素をマルチタスク管理インターフェースの右上隅に表示することを例示とする適用例を採用する。
【０１０２】
一般的には、有限個数のプレビュ−インターフェースのみが電子デバイスのスクリーンに表示されてもよい。更なる電子デバイスで実行している各アプリケーションのプレビュ−インターフェースを見る必要がある場合、電子デバイスで実行している各アプリケーションのプレビュ−インターフェースをトリガーするように、ユーザは所定ジェスチャーを入力してもよい。
【０１０３】
切替モジュール４０５は、分割スクリーン制御要素がトリガーされる場合、マルチタスク管理インターフェースのための表示モードを分割スクリーンモードに切り替え、分割スクリーンモードにおいて、マルチタスク管理インターフェースは主区画と副区画とを備えるように構成される。
【０１０４】
一般的には、電子デバイスで実行しているアプリケーション及び分割スクリーン制御要素がマルチタスク管理インターフェースに表示され、分割スクリーン制御要素がトリガーされると、マルチタスク管理インターフェースのための表示モードは分割スクリーンモードに切り替えることができ、マルチタスク管理インターフェースは主区画と副区画に分割される。
【０１０５】
注意されるべきなのは、分割スクリーンモードにおけるマルチタスク管理インターフェースは唯一の主区画しか備えないが、１つまたは複数の副区画を備えてもよい。この実施の形態は、マルチタスク管理インターフェースが１つの主区画と１つの副区画のみを備えることを例示とする適用例を採用する。マルチタスク管理インターフェースが１つの主区画と複数の副区画のみを備える適用例の実施の形態は、この実施の形態に提供される手段にしたがって理解されるべきである。
【０１０６】
選択的に、分割スクリーンモードにおいて、マルチタスク管理インターフェースは移動可能な区分制御線を有し、区分制御線はマルチタスク管理インターフェースを主区画と副区画に分割する。
【０１０７】
選択的に、主区画または副区画は多機能仮想ボタンを備え、多機能仮想ボタンは、分割スクリーン終了制御要素と、入替制御要素と、切替制御要素の群との少なくとも１つを表示することを誘導する。分割スクリーン表示装置は、第１制御モジュール４０６と、第２制御モジュール４０７と、第３制御モジュール４０８と、第４制御モジュール４０９とをさらに備える。
【０１０８】
第１制御モジュール４０６は、表示された分割スクリーン終了制御要素がトリガーされる場合、マルチタスク管理インターフェースが分割スクリーンモードを終了するように制御するように構成される。
【０１０９】
表示された分割スクリーン終了制御要素がトリガーされる場合、マルチタスク管理インターフェースが分割スクリーンモードを終了するように制御されてもよい。マルチタスク管理インターフェースが分割スクリーンモードを終了した後、電子デバイスで実行しているアプリケーションと分割スクリーン制御要素とを備えるマルチタスク管理インターフェースは正常に表示されてもよく、主区画に表示された第１アプリケーションはフォアグラウンドで実行してもよい（すなわち、表示されてもよい）。本開示の実施の形態はそれについて制限せず、実際の状況により決められる。
【０１１０】
第２制御モジュール４０７は、表示された入替制御要素がトリガーされる場合、主区画に表示されているアプリケーションと副区画に表示されているアプリケーションとを入れ替えるように制御するように構成される。
【０１１１】
切替制御要素の群は、主区画に表示されているアプリケーションを切り替えるための第１切替制御要素と、副区画に表示されているアプリケーションを切り替えるための第２切替制御要素とを備える。
【０１１２】
第３制御モジュール４０８は、第１切替制御要素がトリガーされる場合、電子デバイスで実行している、かつ、第１アプリケーションでないアプリケーションを主区画に表示するように構成される。
【０１１３】
第４制御モジュール４０９は、第２切替制御要素がトリガーされる場合、電子デバイスで実行している、かつ、少なくとも１つの第２アプリケーションでないアプリケーションを副区画に表示するように構成される。
【０１１４】
注意されるべきなのは、この実施の形態は多機能仮想ボタンを副区画に提供することを例示とする適用例を採用する。多機能仮想ボタンを主区画に提供する適用例の実行は、多機能仮想ボタンを副区画に提供する適用例の実行と類似しているため、ここでは説明しない。
【０１１５】
結論を述べると、本開示の実施の形態に提供される分割スクリーン表示装置に基づいて、マルチタスク管理インターフェースをトリガーして表示するための操作信号を受信し、第１アプリケーションをマルチタスク管理インターフェースの主区画に表示し、少なくとも１つの第２アプリケーションをマルチタスク管理インターフェースの副区画に表示し、第１アプリケーションと少なくとも１つの第２アプリケーションは電子デバイスで実行していることにより、すなわち、異なる複数のアプリケーションを表示するようにマルチタスク管理インターフェースを主区画と副区画に分割することにより、ユーザは少なくとも２つのアプリケーションを同時に使用することができ、関連技術に提供された電子デバイスにアプリケーションを表示する手段が簡素過ぎるという問題を解決することができ、ユーザ体験を改善する効果も達成できる。
【０１１６】
また、最新にフォアグラウンドで実行していたアプリケーションをデフォルトで第１アプリケーションとし、第１アプリケーションを主区画に表示することにより、第１アプリケーションを取得する操作手順を簡略することができ、分割スクリーン表示の効率を高めることができる。
【０１１７】
また、ユーザに選択させるように、実行している、かつ、最新にフォアグラウンドで実行してない少なくとも１つのアプリケーションに対応する各プレビュ−インターフェースを副区画に表示してもよく、ユーザに選択されたプレビュ−インターフェースに対応するアプリケーションは副区画を表示してもよい。
【０１１８】
また、分割スクリーンモードにおいて、マルチタスク管理インターフェースは移動可能な区分制御線を有し、区分制御線はマルチタスク管理インターフェースを主区画と副区画に分割する。そのため、ユーザは区分制御線を移動することにより主区画と副区画の大きさを調整することができる。
【０１１９】
また、分割スクリーン終了制御要素を提供することにより、ユーザは、分割スクリーン終了制御要素をトリガーすることで、マルチタスク管理インターフェースが分割スクリーンモードを終了するように制御できてもよい。入替制御要素と、切替制御要素の群とを提供することにより、ユーザは、入替制御要素と切替制御要素の群とを用いて、副区画に表示されているアプリケーションと主区画に表示されているアプリケーションとを切り替えられてもよい。
【０１２０】
本開示の実施の形態は電子デバイスに適用する分割スクリーン表示デバイスを提供する。分割スクリーン表示デバイスは、プロセッサと、プロセッサにより実施可能な指令を格納するメモリと、を備える。プロセッサは、マルチタスク管理インターフェースをトリガーして表示するための操作信号を受信し、電子デバイスで実行しているアプリケーションを取得し、第１アプリケーションをマルチタスク管理インターフェースの主区画に表示し、少なくとも１つの第２アプリケーションをマルチタスク管理インターフェースの副区画に表示するように構成されており、第１アプリケーションと少なくとも１つの第２アプリケーションは電子デバイスで実行している。
【０１２１】
図５は本開示の例示的な実施の形態にかかり、分割スクリーン表示デバイスを示すブロック図である。例えば、分割スクリーン表示デバイス５００は、モバイルフォン、コンピュータ、デジタル放送端末、メッセージデバイス、ゲーム機、タブレット、医療デバイス、エクソサイズ機器、携帯情報端末などであってもよい。
【０１２２】
図５に示すように、分割スクリーン表示デバイス５００は、１または複数の構成部を備えており、処理部５０２、メモリ５０４、電源部５０６、マルチメディア部５０８、音声部５１０、入出力（Ｉ／Ｏ）インターフェース５１２、センサ部５１４、および、通信部５１６を備える。
【０１２３】
処理部５０２は、主として、分割スクリーン表示デバイス５００の全体的な動作、例えば、画面、電話、データ通信、カメラ動作、および記憶動作を制御する。処理部５０２は、上述した方法において全てまたは一部のステップを行う指令を実行する１または複数のプロセッサ５２０を含んでもよい。また、処理部５０２は、処理部５０２と他の構成部との間の相互作用を容易にするような１または複数のモジュールを含んでもよい。例えば、処理部５０２は、マルチメディア部５０８と処理部５０２との間の相互作用を促させるマルチメディアモジュールを含んでもよい。
【０１２４】
メモリ５０４は、分割スクリーン表示デバイス５００の動作を支援する様々な種類のデータを記憶する。そのようなデータの例としては、分割スクリーン表示デバイス５００を動作させるアプリケーションや方法のための指令、接続データ、電話帳データ、メッセージ、画像、動画などが含まれる。メモリ５０４は、あらゆる種類の揮発性もしくは不揮発性メモリ装置、または、それらの組み合わせを用いることによって構成されてもよい。例えば、スタティックＲＡＭ（ＳＲＡＭ）、電気的消去可能ＰＲＯＭ（ＥＥＰＲＯＭ）、消去可能ＰＲＯＭ（ＥＰＲＯＭ）、プログラム可能型読み取り専用メモリ（ＰＲＯＭ）、読み取り専用メモリ（ＲＯＭ）、磁気メモリ、フラッシュメモリ、磁気もしくは光学ディスクであってもよい。
【０１２５】
電源部５０６は、分割スクリーン表示デバイス５００の様々な構成部へ電力を供給する。電源部５０６は、パワーマネジメントシステム、１または複数の電源、および、分割スクリーン表示デバイス５００の電源、パワーマネジメント、電力分配に関係するその他の構成要素を含んでもよい。
【０１２６】
マルチメディア部５０８は、分割スクリーン表示デバイス５００とユーザとの間の出力インターフェースを提供する画面を含む。いくつかの実施の形態では、画面は、液晶画面（ＬＣＤ）およびタッチパネル（ＴＰ）を含んでもよい。画面がタッチパネルを含む場合には、画面はユーザからの入力信号を受け取るタッチ画面となる。タッチパネルは、タッチパネルにおけるタッチ、スワイプ、およびジェスチャーを感知する１または複数のタッチセンサを備える。タッチセンサは、タッチやスワイプ操作の境界を感知するたけでなく、タッチやスワイプ操作に関係した操作時間および圧力を感知してもよい。いくつかの実施の形態において、マルチメディア部５０８は、フロントカメラおよび／またはリアカメラを備える。分割スクリーン表示デバイス５００が、撮像モードや動画モードなどオペレーションモードにある場合に、フロントカメラおよびリアカメラは外部マルチメディアデータを受け取ってもよい。フロントカメラおよびリアカメラのそれぞれは、光学レンズシステムが固定されていてもよく、また、ピント機能および光学ズーム機能を有していてもよい。
【０１２７】
音声部５１０は、音声信号を出力および／または入力する。例えば、音声部５１０は、分割スクリーン表示デバイス５００が、電話モード、録音モード、および音声認識モードのようなオペレーションモードにある場合に、外部音声信号を受け取るマイク（ＭＩＣ）を備える。受信した音声信号は、メモリ５０４に記憶される、または、通信部５１６を通じて伝送される。いくつかの実施の形態では、音声部５１０は、音声信号を出力するスピーカをさらに備える。
【０１２８】
Ｉ／Ｏインターフェース５１２は、処理部５０２と周囲のインターフェースモジュールとの間のインターフェースとして、例えば、キーボード、クリックホイール、およびボタンなどのインターフェースを提供する。ボタンとしては、限定されないが、ホームボタン、ボリュームボタン、スタートボタン、およびロックボタンを含んでもよい。
【０１２９】
センサ部５１４は、分割スクリーン表示デバイス５００の様々な態様の状態評価を提供するような１または複数のセンサを含む。例えば、センサ部５１４は、分割スクリーン表示デバイス５００のオープン／クローズド状態、分割スクリーン表示デバイス５００の構成部、例えば、画面とキーボードの相対位置、分割スクリーン表示デバイス５００自体または分割スクリーン表示デバイス５００の構成部の位置変化、分割スクリーン表示デバイス５００へのユーザコンタクトの有無、分割スクリーン表示デバイス５００の向きや加速度／減速度、および分割スクリーン表示デバイス５００の温度変化を検出してもよい。センサ部５１４は、物理的接触無しで近くの対象物の存在を検出するような近接センサを含んでもよい。センサ部５１４は、画像アプリケーションに用いられるＣＭＯＳやＣＣＤなどの光センサを含んでもよい。いくつかの実施の形態では、センサ部５１４は、加速度センサ、ジャイロセンサ、磁気センサ、圧力センサ、または温度センサを含んでもよい。
【０１３０】
通信部５１６は、分割スクリーン表示デバイス５００と他の装置との間の有線または無線の通信を行う。分割スクリーン表示デバイス５００は、例えば、ＷｉＦｉ、２Ｇ、もしくは３Ｇ、または、それらの組み合わせのような通信規格に基づく無線ネットワークにアクセスすることができる。１つの例示的な実施の形態において、通信部５１６は、放送チャンネルを通じて、外部放送マネジメントシステムから放送信号または放送関連情報を受信する。１つの例示的な実施の形態において、通信部５１６は、近距離の通信に役立つ近距離無線通信（ＮＦＣ）モジュールを含む。例えば、ＮＦＣモジュールは、無線自動識別（ＲＦＩＤ）技術、赤外線通信規格（ＩｒＤＡ）技術、超広域帯（ＵＷＢ）技術、ブルートゥース（登録商標）（ＢＴ）技術、および他の技術に基づくようなものであってもよい。
【０１３１】
例示的な実施の形態において、分割スクリーン表示デバイス５００は、上述した方法を実行するための、特定用途向け集積回路（ＡＳＩＣｓ）、デジタル・シグナル・プロセッサ（ＤＳＰｓ）、デジタル・シグナル処理装置（ＤＳＰＤｓ）、プログラム可能論理回路（ＰＬＤｓ）、フィールド・プログラマブル・ゲート・アレイ（ＦＰＧＡｓ）、コントローラ、マイクロコントローラ、マイクロプロセッサ、または他の電子構成要素によって構成されてもよい。
【０１３２】
例示的な実施の形態において、一時的でないコンピュータ読み取り可能記憶媒体は、上述の方法を実行するために、メモリ５０４に記憶され、分割スクリーン表示デバイス５００のプロセッサ５２０によって実行可能な指令を含む。例えば、一時的でないコンピュータ読み取り可能記憶媒体は、ＲＯＭ、ＲＡＭ、ＣＤ−ＲＯＭ、磁気テープ、磁気ディスク、光学データ記憶装置などであってもよい。
【０１３３】
非一時的なコンピュータ読み取り可能な記憶媒体はその中に指令を保存し、指令が分割スクリーン表示デバイス５００のプロセッサにより実行される時、非一時的なコンピュータ読み取り可能な記憶媒体は分割スクリーン表示デバイス５００に図１、図２Ａ及び図２Ｇに示された方法を実行させる。
【０１３４】
当業者にとっては、本発明の他の実施の形態は、ここで開示された本発明の明細書及び実施態様から明らかである。本願は、本発明の一般的原則に従い、かつ当該技術分野において知られ、又は慣行的に実施されている範囲内での本開示からの逸脱を含む、本発明の変形、使用、又は適用をカバーすることを意図している。明細書及び実施例は、例示的なもののみが考慮されているが、本発明の真の範囲及び精神は、以下の特許請求の範囲によって示されることが意図されている。
【０１３５】
本発明は、上述され、かつ添付の図面に示された厳密な構成に限定されるものではなく、本発明の範囲から逸脱することなく様々な修正及び変更が可能であることは明らかである。本発明の範囲は、添付の特許請求の範囲によってのみ限定されることが意図されている。
【図１】
0006543733.tif 000002
【図２Ａ】
0006543733.tif 000003
【図２Ｂ】
0006543733.tif 000004
【図２Ｃ】
0006543733.tif 000005
【図２Ｄ】
0006543733.tif 000006
【図２Ｅ】
0006543733.tif 000007
【図２Ｆ】
0006543733.tif 000008
【図２Ｇ】
0006543733.tif 000009
【図２Ｈ】
0006543733.tif 000010
【図２Ｉ】
0006543733.tif 000011
【図３】
0006543733.tif 000012
【図４】
0006543733.tif 000013
【図５】
0006543733.tif 000014